(57)【要約】【課題】机の後方の使用位置から脚支柱が揺動されることにより座部を机の下方に収納する収納位置に移動される椅子において、収納位置にあるときに背凭れが机の天板の上方に突出しない椅子を提供すること。【解決手段】床に固定されたベース４に対して前後方向に揺動可能に枢支された第１及び第２脚支柱５，６を有し、第１脚支柱５の上端には、第１座部７が設けられるとともに、第２脚支柱６の上端には、第２座部８が前後方向に揺動可能に枢支され、第２座部８は、その前端が第１座部７に枢支されるとともに、その後端から背凭れ９が延設されており、背凭れ９が、両脚支柱５，６が揺動されることによって、机２の後方の使用位置と、使用位置より低い位置となる前方の収納位置と、の間で移動可能となっている。【選択図】図１
2009100818.tif 000002
【特許請求の範囲】
【請求項１】
床に固定された机の後方に設置される椅子であって、
床に固定されたベースに対して前後方向に揺動可能に枢支された第１及び第２脚支柱を有し、前記第１脚支柱の上端には、第１座部が設けられるとともに、前記第２脚支柱の上端には、第２座部が前後方向に揺動可能に枢支され、該第２座部は、その前端が前記第１座部に枢支されるとともに、その後端から背凭れが延設されており、該背凭れが、前記両脚支柱が揺動されることによって、前記机の後方の使用位置と、該使用位置より低い位置となる前方の収納位置と、の間で移動可能となっていることを特徴とする椅子。
【請求項２】
前記収納位置において、前記第１座部が、その前部が降下するように傾斜されることを特徴とする請求項１に記載の椅子。
【請求項３】
前記使用位置において、前記第１座部と前記第２座部とが、互いの上面が面一をなすように並設されることを特徴とする請求項１または２に記載の椅子。
【請求項４】
前記使用位置において、前記第１座部と前記第２座部とが、上下方向に重畳されることを特徴とする請求項１または２に記載の椅子。
【請求項５】
前記第１座部が、前記第２座部の上方に重畳されることを特徴とする請求項４に記載の椅子。
【請求項６】
前記第１脚支柱には、前記第２脚支柱を収納する収納部が設けられていることを特徴とする請求項１ないし５のいずれかに記載の椅子。
【請求項７】
前記第１及び第２脚支柱の少なくともいずれか一方を前方に弾性付勢する付勢手段が設けられていることを特徴とする請求項１ないし６のいずれかに記載の椅子。
【発明の詳細な説明】
【技術分野】
【０００１】
本発明は、主に教室や講義室等で使用される床面に固定された椅子に係り、特に机の下方に椅子を収納する収納位置から脚支柱を揺動させることで、机の後方の使用位置に移動する椅子に関する。
【背景技術】
【０００２】
従来、学校等に設置される講義室用の椅子としては、床に固定された机の後方に配置され、椅子の脚部（脚支柱）が床に固定された基部（ベース）に対して前後方向に揺動可能に連結されるとともに、背（背凭れ）と座（座部）とを有する着座部が脚部の上端に揺動可能に連結されており、椅子の使用時には、脚部を後方に揺動させることで着座部を机の後方の使用位置に移動させるようにし、椅子の不使用時には、脚部を前方に揺動させることで着座部の座が机の天板の下方に収納される収納位置に移動させるようにしている（例えば、特許文献１参照）。
【０００３】
【特許文献１】特許第３７５１８０２号公報（第４頁、第７図）
【発明の開示】
【発明が解決しようとする課題】
【０００４】
しかしながら、特許文献１に記載の揺動収納式椅子にあっては、椅子が収納位置にあるときに着座部の背（背凭れ）の上端が机の天板よりも上方に突出した状態で配置されるため、不使用時の椅子の背凭れが講義室の見通しの妨げになり、見栄えも悪くなるという問題がある。
【０００５】
本発明は、このような問題点に着目してなされたもので、机の後方の使用位置から脚支柱が揺動されることにより座部を机の下方に収納する収納位置に移動される椅子において、収納位置にあるときに背凭れが机の天板の上方に突出しない椅子を提供することを目的とする。
【課題を解決するための手段】
【０００６】
前記課題を解決するために、本発明の請求項１に記載の椅子は、
床に固定された机の後方に設置される椅子であって、
床に固定されたベースに対して前後方向に揺動可能に枢支された第１及び第２脚支柱を有し、前記第１脚支柱の上端には、第１座部が設けられるとともに、前記第２脚支柱の上端には、第２座部が前後方向に揺動可能に枢支され、該第２座部は、その前端が前記第１座部に枢支されるとともに、その後端から背凭れが延設されており、該背凭れが、前記両脚支柱が揺動されることによって、前記机の後方の使用位置と、該使用位置より低い位置となる前方の収納位置と、の間で移動可能となっていることを特徴としている。
この特徴によれば、第１及び第２脚支柱がベースを軸として収納位置に向かって揺動されたときに、背凭れが第２座部とともに、第２脚支柱の上端を軸として揺動して椅子が折り畳まれるようになり、背凭れと第２脚支柱とで構成される椅子の全高が低くなる。そのため使用位置にあるときよりも収納位置にあるときの背凭れの上端の高さが低い位置となり、机の天板から背凭れが突出しないようにできる。
【０００７】
本発明の請求項２に記載の椅子は、請求項１に記載の椅子であって、
前記収納位置において、前記第１座部が、その前部が降下するように傾斜されることを特徴としている。
この特徴によれば、第１座部が傾斜されると椅子の前後方向の幅を短くすることができ、収納位置において、椅子がコンパクトに折り畳まれた状態で机の下方に収納することができる。
【０００８】
本発明の請求項３に記載の椅子は、請求項１または２に記載の椅子であって、
前記使用位置において、前記第１座部と前記第２座部とが、互いの上面が面一をなすように並設されることを特徴としている。
この特徴によれば、使用位置において、第１座部と第２座部の上面を合わせた広さの座面が構成され、かつ収納位置において、前記座面は第１座部と第２座部との間を軸として折り畳まれてコンパクトに収納される。
【０００９】
本発明の請求項４に記載の椅子は、請求項１または２に記載の椅子であって、
前記使用位置において、前記第１座部と前記第２座部とが、上下方向に重畳されることを特徴としている。
この特徴によれば、使用位置において、第１座部と第２座部とが重畳されて座面の強度を向上させることができる。
【００１０】
本発明の請求項５に記載の椅子は、請求項４に記載の椅子であって、
前記第１座部が、前記第２座部の上方に重畳されることを特徴としている。
この特徴によれば、第２座部よりも前方に配置される第１座部が上方となることで、椅子が収納位置から使用位置に移動の途中の状態であっても、使用者が椅子の前方から腰掛け易くなる。
【００１１】
本発明の請求項６に記載の椅子は、請求項１ないし５のいずれかに記載の椅子であって、
前記第１脚支柱には、前記第２脚支柱を収納する収納部が設けられていることを特徴としている。
この特徴によれば、使用者の足元には、第１脚支柱のみが配置されるため第２脚支柱が邪魔にならずに済むようになり、かつ第２脚支柱が第１脚支柱の収納部内に収納されて隠蔽されるため、椅子の見栄えがよくなる。
【００１２】
本発明の請求項７に記載の椅子は、請求項１ないし６のいずれかに記載の椅子であって、
前記第１及び第２脚支柱の少なくともいずれか一方を前方に弾性付勢する付勢手段が設けられていることを特徴としている。
この特徴によれば、使用位置にある椅子から使用者が離席するだけで、付勢手段により椅子が自動的に収納位置となり、使用者が椅子を収納位置に移動させる煩わしさがなくなる。
【発明を実施するための最良の形態】
【００１３】
本発明に係る椅子を実施するための最良の形態を実施例に基づいて以下に説明する。
【実施例１】
【００１４】
本発明の実施例を図面に基づいて説明すると、先ず図１は、実施例１における机と椅子を示す側面図であり、図２は、椅子が収納される収納状態を示す斜視図であり、図３は、椅子が使用される使用状態を示す斜視図であり、図４は、椅子が収納された収納状態を示す縦断側面図であり、図５は、椅子が使用される使用状態を示す縦断側面図である。以下、図１、図４、図５の紙面左方側を椅子の正面側（前方側）として説明する。
【００１５】
図１の符号１は、大学や企業の講義室等に設置される本発明の適用された椅子１である。本実施例では、複数の机２が前後方向の所定間隔毎に床に固定されており、それぞれの机２の背面側には、複数の椅子１が床に固定された状態で設けられている。尚、特に図示はしないが、これらの机２は、左右横長に形成された講義室用の机２となっている。また、椅子１は机２に沿って左右方向に所定間隔毎に複数設けられている。
【００１６】
図１に示すように、本実施例の椅子１は、床面に固定されたベース４を有しており、該ベース４には、第１脚支柱５が前後方向に揺動可能に枢軸１０ｃによって枢支されている（図２参照）。この第１脚支柱５の上端部には、本実施例における第１座部としての座前部７が一体的に形成されている。
【００１７】
座前部７の後方には、背凭れ９を有する本実施例における第２座部としての座後部８が配置されている。また、座後部８の前端部と、座前部７の後端部とは、蝶番１５によって互いに接続されている。尚、背凭れ９は、座後部８の後端部から上方に向かって一体的に延設されている。
【００１８】
また、ベース４には、第２脚支柱６の下端部が枢軸１０ａによって前後方向に揺動可能に枢支されている。この第２脚支柱６の上端部は、座後部８の下面側に設けられたブラケット１１に枢軸１０ｂによって枢支されており、座後部８が前後方向に揺動可能となっている。
【００１９】
図１に示すように、この椅子１の座前部７は、第１脚支柱５が前方に揺動されることで、座前部７の上面７ａが正面側に向くように傾斜するようになっている。具体的には、図１の紙面左方側に示すように、椅子１の不使用時には、第１脚支柱５及び第２脚支柱６が正面側に揺動されて前方に傾くようになっているとともに、座前部７の前端部が下降するように傾斜されており、座前部７及び座後部８が机２の天板３下方に収納された収納状態とすることができる。収納状態では、椅子１が邪魔にならずに済むようになる。また、背凭れ９の上端部を天板３の下方である高さｈ１に配置した状態とすることができ、机２の正面視で背凭れ９を隠蔽することができる。
【００２０】
尚、収納状態では、椅子１と、該椅子１の背面側に設けられた机２との間の空間を、使用者Ｕが通行できるようになっている。更に尚、収納状態にある椅子１の座前部７が座後部８に対して傾けられた状態が本実施例における収納位置となっている。
【００２１】
また、図１の紙面中央の椅子１に示すように、収納状態から使用者Ｕが椅子１の背凭れ９を掴んで、椅子１を後方に揺動させた状態とすることができる。この状態では、座前部７及び座後部８同士は、互いに緩やかな傾斜角度をなすように傾いている。
【００２２】
更に、図１の紙面右方側の椅子１に示すように、使用者Ｕが背凭れ９をさらに後方に揺動させると、第１脚支柱５及び第２脚支柱６が後方に揺動され、該揺動に伴い座前部７と座後部８が後方の揺動限界位置で略水平状態になる。この状態が、椅子１が使用される使用状態となっている。尚、使用状態の椅子１の位置が本実施例における使用位置となっている。すなわち本実施例の椅子１は、収納位置と使用位置との間で揺動移動可能になっている。椅子１を使用状態とした後に、使用者Ｕが椅子１と、該椅子１の正面側に設けられた机２との間の空間に足を踏み入れ、椅子１に着座する。尚、このときの背凭れ９の上端部は天板３よりも上方である高さｈ２に位置している。
【００２３】
図２及び図４に示すように、第１脚支柱５の下端部はベース４に枢支されており、ベース４の内部には、第１脚支柱５を正面側（前方側）に付勢する本実施例における付勢手段としてのコイルバネ１２が配置されている。また、第２脚支柱６の下端部は、第１脚支柱５の下端部よりも上方かつ後方位置でベース４に対して前後方向に揺動自在に枢支されている。このようにすることで、第１脚支柱５はコイルバネ１２の付勢力によって正面側に揺動可能に弾性付勢され、椅子１の不使用時には、自動的に椅子１を収納状態にすることができる。
【００２４】
また、第１脚支柱５の後部からは、左右方向に延設されたリブ５ａが設けられている（図２参照）。該リブ５ａは、椅子１がコイルバネ１２の付勢力によって正面側（前方側）に付勢された際に、ベース上面４ａに当接することで椅子１の正面側への揺動を規制し、椅子１の収納状態となる位置を規定している（図２参照）。尚、椅子１が使用者Ｕによって使用される際には、リブ５ａがベース背面４ｂに当接することで椅子１の背面側への揺動を規制し、椅子１の使用状態となる位置を規定している（図３参照）。
【００２５】
図２に示すように、第１脚支柱５の上端に一体的に形成されている座前部７は、側面視で略く字形状をなすように板部材が屈曲されて形成されている。また、座前部７の前部側には、該座前部７を左右方向に貫通する孔１４が設けられており、座前部７の軽量化を図っている。
【００２６】
また、図４及び図５に示すように、第１脚支柱５の後部には、該第１脚支柱５の下端部から上端部にかけて背面側（後方側）に開口する本実施例における収納部としての溝部１３が形成されている。第２脚支柱６は、第１脚支柱５の溝部１３内に収納されるとともに、上端部を座後部８の下面側に設けられたブラケット１１に枢軸１０ｂによって枢支されている。座後部８の後端部には、背凭れ９が上方に向かって一体的に延設されており、これら座後部８及び背凭れ９は側面視で略Ｌ字形状をなすように板部材が屈曲されて形成されている。
【００２７】
使用状態において、これら座前部７と座後部８の上面７ａ，８ａが面一をなすように並設されることで、椅子１の広い座面１６が構成される。尚、座前部７と座後部８の上面７ａ，８ａには、合成樹脂等の材質で形成されて伸縮性を有するカバー１７が接着されている。このカバー１７によって、使用状態において使用者Ｕの着座時に座前部７と座後部８間に使用者Ｕの服等が挟まることを防いでいる。
【００２８】
図４に示すように、不使用時における椅子１の第１脚支柱５は、ベース４内に設けられたコイルバネ１２の付勢により前方に傾斜しており、座前部７は前端部が下降するように傾斜されており、座前部７及び座後部８が天板３の下方に収納された収納状態となっている。このとき、背凭れ９の上端部の高さｈ１は、机２の天板３よりも低い位置にあり、机２の正面視において、背凭れ９が隠蔽されている。
【００２９】
椅子１を使用する際には、使用者Ｕが収納状態の椅子１の背凭れ９を背面側に引くことにより、第１脚支柱５及び第２脚支柱６を背面側に揺動させて、図３及び図５に示すように、椅子１を座前部７及び座後部８の上面７ａ，８ａが面一、かつ略水平状態となる使用状態とする。
【００３０】
背凭れ９は、第２脚支柱６のベース４に枢支された枢軸１０ａを中心に側面視で円弧を描いて背面側に揺動されることによって、背凭れ９の上端部の高さが天板３よりも上方である高さｈ２に上昇し、使用状態となる位置で使用者Ｕが着座可能な高さとなる。このとき、座前部７は、背凭れ９が背面側に引かれると、座後部８とともに背面側に引かれて第１脚支柱５がベース４に枢支された枢軸１０ｃを中心に背面側に側面視で円弧を描いて背面側に揺動される。そして、座前部７は上面７ａが上方に向くように揺動され、椅子１が使用状態となる位置で座前部７の上面７ａと座後部８の上面８ａとが面一かつ略水平状態となり、座面１６を形成する。
【００３１】
尚、椅子１を図５に示す使用状態から図４に示す収納状態にする際には、使用者Ｕの臀部が座面１６から離れることで、コイルバネ１２の付勢力により第１脚支柱５が正面側への揺動され、該第１脚支柱５の揺動に伴い座面１６を構成する座前部７及び座後部８が略水平状態から収納状態に移行する。
【００３２】
そして、ベース４内に配置されたコイルバネ１２の付勢力により第１脚支柱５が正面側に揺動され、該第１脚支柱５の正面側への揺動に引かれて座後部８及び第２脚支柱６が正面側に揺動されることで、座前部７及び座後部８が天板３の下方位置に収納される収納状態となる。
【００３３】
以上、本実施例における椅子１では、背凭れ９が、両脚支柱５，６が揺動されることによって、机２の後方の使用位置と、この使用位置より低い位置となる前方の収納位置と、の間で移動可能となっていることで、第１及び第２脚支柱５，６がベース４を軸として揺動されたときに、背凭れ９が座後部８とともに、第２脚支柱６の上端を軸として揺動して椅子１が折り畳まれるようになり、背凭れ９と第２脚支柱６とで構成される椅子１の全高ｈ１が低くなる。そのため使用位置にあるときよりも収納位置にあるときの背凭れ９の上端の高さｈ１が低い位置となり、机２の天板３から背凭れ９が突出しないようにできる。
【００３４】
また、収納状態（収納位置）において、座前部７が、その前部が降下するように傾斜されることで、座前部７が傾斜されると椅子１の前後方向の幅を短くすることができ、収納状態において、椅子１がコンパクトに折り畳まれた状態で机２の下方に収納することができる。
【００３５】
また、使用状態（使用位置）において、座前部７と座後部８とが、互いの上面が面一をなすように並設されることで、使用状態において、座前部７と座後部８の上面７ａ，８ａを合わせた広さの座面１６が構成され、かつ収納状態（収納位置）において、座面１６は座前部７と座後部８との間の蝶番１５を軸として折り畳まれてコンパクトに収納される。
【００３６】
また、第１脚支柱５には、第２脚支柱６を収納する収納部としての溝部１３が設けられていることで、使用者Ｕの足元には、第１脚支柱５のみが配置されるため第２脚支柱６が邪魔にならずに済むようになり、かつ第２脚支柱６が第１脚支柱５の溝部１３内に収納されて隠蔽されるため、椅子１の見栄えがよくなる。
【００３７】
また、第１脚支柱５を前方に弾性付勢する付勢手段としてのコイルバネ１２が設けられていることで、使用状態（使用位置）にある椅子１から使用者Ｕが離席するだけで、コイルバネ１２により椅子１が自動的に収納状態（収納位置）となり、使用者Ｕが離席する度に椅子１を収納状態にさせる煩わしさがなくなる。
【実施例２】
【００３８】
次に、実施例２に係る椅子につき、図６から図９を参照して説明する。図６は、本発明の実施例２における椅子が収納される収納状態を示す斜視図であり、図７は、椅子が使用される使用状態を示す斜視図であり、図８は、椅子が収納された収納状態を示す縦断側面図であり、図９は、椅子が使用される使用状態を示す縦断側面図である。以下、図８及び図９の紙面左方側を正面側（前方側）として説明する。
【００３９】
図６及び図７に示すように、実施例２における椅子１８は、床面に固定されたベース１９を有しており、このベース１９には、上下端部が開口して筒状に形成された第１脚支柱２０が枢軸１０ｃに対して前後方向に揺動可能に枢支されている。第１脚支柱２０の内部には、本実施例における収納部としての空洞２６が形成されている。この第１脚支柱２０の上端部には、側面視で略く字形状をなすように板部材が屈曲されて形成された本実施例における第１座部としての座部２１が固定されており、特に該座部２１の略く字形状を形成している下片と上片のうち、上片の上面側が本実施例における使用者Ｕが着座する座面２２を構成している。
【００４０】
また、座部２１の後方側には、背凭れ９が配置されており、この背凭れ９は、その下端部から本実施例における第２座部としての延設部２３が前方に向けて一体に延設されている。尚、延設部２３と背凭れ９は側面視で略Ｌ字形状をなすように板部材が屈曲されて形成されている。使用状態（使用位置）では、延設部２３の上方に座部２１が配置され互いに重畳されるようになっている。
【００４１】
図８及び図９に示すように、第１脚支柱２０の空洞２６内には、第２脚支柱６が挿通されて収納されており、該第２脚支柱６の下端部はベース１９に枢軸１０ａによって枢支されている。また、第２脚支柱６の上端部は、延設部２３の補強フレーム２７の下面側に設けられたブラケット２４に枢軸１０ｂによって枢支されている。更に、延設部２３の前端部は、座面２２の下面側に設けられたブラケット２５に枢軸２５ａによって枢支されている。また、図６に示すように、この椅子１８の座部２１は、第１脚支柱２０が前方に揺動されることで、座面２２の上面が正面側に向くように傾斜するようになっている。
【００４２】
図８に示すように、不使用時における椅子１８の第１脚支柱２０は、ベース１９内に設けられたコイルバネ１２の付勢により前方に傾斜しており、座部２１は前端部が下降するように傾斜されており、座部２１及び延設部２３が天板３の下方に収納された収納状態となっている。このとき、背凭れ９は天板３の下方位置である高さｈ３に配置された状態であり、机２の正面視において、背凭れ９が隠蔽されている。
【００４３】
椅子１８を使用する際には、使用者Ｕが収納状態の椅子１８の背凭れ９を背面側に引くことにより、第１脚支柱２０及び第２脚支柱６を背面側に揺動させて、図９に示すように、椅子１８を座部２１及び延設部２３が上下方向に重畳された使用状態とする。
【００４４】
このとき、座部２１は第１脚支柱２０とともに背面側に揺動しつつ、延設部２３がブラケット２５に枢支された枢軸２５ａを中心として延設部２３側に揺動する。そして、座部２１の座面２２の上面が略水平状態となると、座面２２の下面が延設部２３の上面に当接することで第１脚支柱２０及び第２脚支柱６の背面側への揺動が停止するとともに、背凭れ９の上端部が天板３よりも上方である高さｈ４に配置されて椅子１８が使用状態となる。つまり、第２脚支柱６の揺動がベース１９にて規制されることにより、椅子１の使用状態となる位置を規定している。また、延設部２３は、使用者Ｕが椅子１８に着座した際に、使用者Ｕの体重を支持できるように、座面２２の下面を保持するようになっている。
【００４５】
尚、椅子１８を図９に示す使用状態から図８に示す収納状態にする際には、使用者Ｕの臀部が座面２２から離れることで、コイルバネ１２の付勢力により第１脚支柱２０が正面側への揺動され、該第１脚支柱２０の揺動に伴い座部２１が略水平状態から収納状態に移行する。
【００４６】
そして、ベース１９内に配置されたコイルバネ１２の付勢力により第１脚支柱２０が正面側に揺動され、該第１脚支柱２０の正面側への揺動に引かれて延設部２３及び第２脚支柱６が正面側に揺動されることで、座部２１及び延設部２３が天板３の下方位置に収納状態となる。また、このとき背凭れ９は座後部８が収納状態となったことで、天板３の後方で該天板３の高さ位置よりも低い高さｈ３に、背凭れ９の上端が配置されて、机２の正面視において背凭れ９が隠蔽される。
【００４７】
以上、実施例２における椅子１では、使用状態（使用位置）において、座部２１と延設部２３とが、上下方向に重畳されることで、座部２１と延設部２３とが重畳されて座面２２の強度を向上させることができる。
【００４８】
また、延設部２３よりも前方に配置される座部２１が上方となって重畳されることで、椅子１８が収納状態（収納位置）から使用状態（使用位置）に移動の途中の状態であっても、使用者Ｕが椅子１８の前方から腰掛け易くなる。
【００４９】
また、第１脚支柱２０には、第２脚支柱６を収納する収納部としての空洞２６が設けられていることで、使用者Ｕの足元には、第１脚支柱２０のみが配置されるため第２脚支柱６が邪魔にならずに済むようになり、かつ第２脚支柱６が第１脚支柱２０の空洞２６内に収納されて隠蔽されるため、椅子１の見栄えがよくなる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例１，２では、収納状態（収納位置）における椅子１，１８の背凭れ９の上端までの高さｈ１，ｈ３が、机２の天板３よりも下方位置になる構成となっていたが、収納状態における背凭れ９の上端の高さｈ１，ｈ３は、必ずしも天板３よりも下方位置になる必要はなく、少なくとも使用状態（使用状態）における椅子１，１８の背凭れ９の上端の高さｈ２，ｈ４よりも低い位置になれば、机２の天板３から突出する背凭れ９が目立たないようになり、講義室の見通しの妨げや見栄えが悪くなることがなくなる。
【００５２】
また、前記実施例１，２では、付勢手段としてのコイルバネ１２が第１脚支柱５，２０を前方に揺動するように付勢しているが、付勢手段としてのコイルバネ１２により第２脚支柱６を前方に揺動するように付勢してもよい。
【００５３】
また、前記実施例１，２では、座前部７と第１脚支柱５とが一体的に形成されていたが、座前部７と第１脚支柱５とを別体で形成してもよく、こられ座前部７と第１脚支柱５とを互いに固着してもよいし、座前部７を前後方向に揺動可能に枢支されるように第１脚支柱５に対して取り付けてもよい。
【図面の簡単な説明】
【００５４】
【図１】実施例１における机と椅子を示す側面図である。
【図２】椅子が収納される収納状態を示す斜視図である。
【図３】椅子が使用される使用状態を示す斜視図である。
【図４】椅子が収納された収納状態を示す縦断側面図である。
【図５】椅子が使用される使用状態を示す縦断側面図である。
【図６】実施例２における椅子が収納される収納状態を示す斜視図である。
【図７】椅子が使用される使用状態を示す斜視図である。
【図８】椅子が収納された収納状態を示す縦断側面図である。
【図９】椅子が使用される使用状態を示す縦断側面図である。
【符号の説明】
【００５５】
１                椅子
２                机
３                天板
４                ベース
５                第１脚支柱
６                第２脚支柱
７                座前部（第１座部）
８                座後部（第２座部）
９                背凭れ
１２              コイルバネ（付勢手段）
１３              溝部（収納部）
１６              座面
１８              椅子
１９              ベース
２０              第１脚支柱
２１              座部（第１座部）
２２              座面
２３              延設部（第２座部）
２６              空洞（収納部）
【図１】
2009100818.tif 000003
【図２】
2009100818.tif 000004
【図３】
2009100818.tif 000005
【図４】
2009100818.tif 000006
【図５】
2009100818.tif 000007
【図６】
2009100818.tif 000008
【図７】
2009100818.tif 000009
【図８】
2009100818.tif 000010
【図９】
2009100818.tif 000011